(57)【要約】      （修正有）【課題】所定の事物に関して必要な事項を効率よく書き留めることができる用紙、及び冊子を提供する。【解決手段】所定の事物に関して必要な事項を記載するための用紙１であって、左右に延在し、上下に並ぶ複数の横線１２と、横線の左端と右端との間で横線と交差するように上下に延在する縦線である区画線１３とを備え、区画線により左側の複数の項目欄１５と項目欄と対応する右側の複数の記入欄１６が区画され、複数の項目欄には、５Ｗ１Ｈを構成する要素のうちの、「何を」を示す第１Ｗ項目欄１５１と、「いつ」を示す第２Ｗ項目欄１５２と、「誰が」を示す第３Ｗ項目欄１５３と、「どこで」を示す第４Ｗ項目欄１５４と、「どのように」を示す第１Ｈ項目欄１５５が含まれ、複数の項目欄には、それぞれが示す要素の表示である要素表示２０が施されている。【選択図】図１
0003230079.tif 000002
【実用新案登録請求の範囲】
【請求項１】
所定の事物に関して必要な事項を記載するための用紙であって、
左右に延在し、上下に並ぶ複数の横線と、前記横線の左端と右端との間で前記横線と交差するように上下に延在する縦線である区画線とを備え、
前記区画線により左側の複数の項目欄と前記項目欄と対応する右側の複数の記入欄が区画され、
複数の前記項目欄には、５Ｗ１Ｈを構成する要素のうちの、「何を」を示す第１Ｗ項目欄と、「いつ」を示す第２Ｗ項目欄と、「誰が」を示す第３Ｗ項目欄と、「どこで」を示す第４Ｗ項目欄と、「どのように」を示す第１Ｈ項目欄が含まれ、
複数の前記項目欄には、それぞれが示す要素の表示である要素表示が施されている
ことを特徴とする用紙。
【請求項２】
所定の事物に関して必要な事項を記載するための用紙であって、
左右に延在し、上下に並ぶ複数の横線と、前記横線の左端と右端との間で前記横線と交差するように上下に延在する縦線である区画線とを備え、
前記区画線により左側の複数の項目欄と前記項目欄と対応する右側の複数の記入欄が区画され、
複数の前記項目欄には、５Ｗ３Ｈを構成する要素のうちの、「何を」を示す第１Ｗ項目欄と、「いつ」を示す第２Ｗ項目欄と、「誰が」を示す第３Ｗ項目欄と、「どこで」を示す第４Ｗ項目欄と、「なぜ」を示す第５Ｗ項目欄と、「どのように」を示す第１Ｈ項目欄と、「費用」を示す第２Ｈ項目欄と、「個数」を示す第３Ｈ項目欄が含まれ、
複数の前記項目欄には、それぞれが示す要素の表示である要素表示が施されている
ことを特徴とする用紙。
【請求項３】
請求項１または２に記載の用紙を備える
ことを特徴とする冊子。
【請求項４】
請求項３に記載の冊子であって、
前記要素表示の左側に前記用紙の一部を切り離すための切取部を備える
ことを特徴とする冊子。
【考案の詳細な説明】
【技術分野】
【０００１】
本考案は、用紙、及び冊子に関する。
【背景技術】
【０００２】
書込み用に用紙を複数枚まとめた（とじた）冊子（例えば、ノートや手帳、メモ（帳）など）が広く使われている。例えば、特許文献１にはこのような冊子が提案されている。
【先行技術文献】
【特許文献】
【０００３】
【特許文献１】特開２０１０−３６３６９号公報
【考案の概要】
【考案が解決しようとする課題】
【０００４】
社会人や学生は、人の話を書き留めたほうがよい機会が多い。書き留めないとバイト、行事の作業手順、予定を何度も聞かなければならなくなる。また、勉強でも分かりやすく必要な事項を書き記しておく必要がある。しかし、ノートやメモの取り方は人それぞれで、見返せないもの、共有しにくいものが少なくない。
【０００５】
上記特許文献１に記載の冊子のように、従来の冊子の用紙は、白紙であるか複数の横線が印刷されているのが一般的で、何を書けばいいか分からず、必要な事項を効率よく書き留めるようにはなっていない。
【０００６】
本願考案は、上記課題の少なくとも一つを解決し、所定の事物に関して必要な事項を効率よく書き留めることができる用紙、及び冊子を提供することを目的とする。
【課題を解決するための手段】
【０００７】
上述した少なくとも１つの課題を解決するために、本願考案の一方面に係る用紙は、所定の事物に関して必要な事項を記載するための用紙であって、左右に延在し、上下に並ぶ複数の横線と、前記横線の左端と右端との間で前記横線と交差するように上下に延在する縦線である区画線とを備え、前記区画線により左側の複数の項目欄と前記項目欄と対応する右側の複数の記入欄が区画され、複数の前記項目欄には、５Ｗ１Ｈを構成する要素のうちの、「何を」を示す第１Ｗ項目欄と、「いつ」を示す第２Ｗ項目欄と、「誰が」を示す第３Ｗ項目欄と、「どこで」を示す第４Ｗ項目欄と、「どのように」を示す第１Ｈ項目欄が含まれ、複数の前記項目欄には、それぞれが示す要素の表示である要素表示が施されている。
【０００８】
上述した少なくとも１つの課題を解決するために、本願考案の一方面に係る用紙は、所定の事物に関して必要な事項を記載するための用紙であって、左右に延在し、上下に並ぶ複数の横線と、前記横線の左端と右端との間で前記横線と交差するように上下に延在する縦線である区画線とを備え、前記区画線により左側の複数の項目欄と前記項目欄と対応する右側の複数の記入欄が区画され、複数の前記項目欄には、５Ｗ３Ｈを構成する要素のうちの、「何を」を示す第１Ｗ項目欄と、「いつ」を示す第２Ｗ項目欄と、「誰が」を示す第３Ｗ項目欄と、「どこで」を示す第４Ｗ項目欄と、「なぜ」を示す第５Ｗ項目欄と、「どのように」を示す第１Ｈ項目欄と、「費用」を示す第２Ｈ項目欄と、「個数」を示す第３Ｈ項目欄が含まれ、複数の前記項目欄には、それぞれが示す要素の表示である要素表示が施されている。
【０００９】
上述した少なくとも１つの課題を解決するために、本願考案の一方面に係る冊子は、前記の用紙を備える。上記冊子において、前記要素表示の左側に前記用紙の一部を切り離すための切取部を備えてもよい。
【考案の効果】
【００１０】
本願考案によれば、所定の事物に関して必要な事項を効率よく書き留めることができる用紙、及び冊子を提供することができる。
【００１１】
上記した以外の課題、構成及び効果は、以下の実施形態の説明により明らかにされる。
【図面の簡単な説明】
【００１２】
【図１】本願考案に係る用紙の一例を示す平面図である。
【図２】本願考案に係る用紙の記載例を示す図である。
【図３】本願考案に係る用紙の記載例の表示例を示す図である。
【図４】本願考案に係る冊子の一例を示す図である。
【図５】本願考案に係る冊子の一例を示す図である。
【図６】本願考案に係る冊子の一例を示す図である。
【図７】本願考案に係る用紙の一例を示す平面図である。
【図８】本願考案に係る用紙の記載例を示す図である。
【図９】本願考案に係る用紙の一例を示す平面図である。
【考案を実施するための形態】
【００１３】
以下に本願考案の実施形態の例を図面を用いて説明する。本願において、構成要素等の形状、位置関係等に言及する場合は、特に明示した場合及び原理的に明らかにそうでないと考えられる場合等を除き、実質的にその形状等に近似または類似するもの等を含むものとする。
【００１４】
図１は本願考案に係る用紙の一例を示す平面図で、図示はメモ用紙の例である。本願考案に係る用紙１は、例えば、メモ用紙、手帳用紙、ノート用紙等であり、冊子に複数枚含まれて使用者に提供される。なお、本願考案に係る用紙１は、使用者に用紙単体で提供されてもよい。
【００１５】
用紙１は、一例として矩形で、例えば、正方形である。用紙１は、紙の表面である紙面１０に、左右に延びる複数の横線１２を備える。複数の横線１２は、互いに平行に延在し、上下に並んでいる。ここでは、隣接の横線１２同士の間に形成され、左右に延びる空間を「行」と称する。
【００１６】
横線１２の左端と右端との間には、横線１２と交差するように上下に延びる縦線である区画線１３が設けられる。用紙１は、区画線１３により、紙面１０の左側に位置する複数の項目欄１５と、右側に位置する複数の記入欄１６とが区画される。記入欄１６は、項目欄１５と対応し、項目欄１５よりも左右幅が広い。
【００１７】
項目欄１５には、５Ｗ１Ｈ（ごダブリューいちエッチ）を構成する要素のうちの、少なくとも、「何を」を示す第１Ｗ項目欄１５１と、「いつ」を示す第２Ｗ項目欄１５２と、「誰が」を示す第３Ｗ項目欄１５３と、「どこで」を示す第４Ｗ項目欄１５４と、「どのように」を示す第１Ｈ項目欄１５５が含まれる。
【００１８】
項目欄１５には、要素表示２０が施される。要素表示２０は、それぞれの項目欄が示す要素を表示するものである。一例として、ここでは、上から順に、第１Ｗ項目欄１５１に「何を」を示す第１Ｗ要素表示２１である「What(何を)」が施され、第２Ｗ項目欄１５２に「いつ」を示す第２Ｗ要素表示２２である「When(いつ)」が施され、第３Ｗ項目欄１５３に「誰が」を示す第３Ｗ要素表示２３である「Who(誰が)」が施され、第４Ｗ項目欄１５４に「どこで」を示す第４Ｗ要素表示２４である「Where(どこで)」が施され、第１Ｈ項目欄１５５に「どのように」を示す第１Ｈ要素表示２５である「How(どのように)」が施される。なお、要素表示２０は、項目欄１５が示す要素を表示するものであればよく、後述の例（図４、図５等）のように、例えば、第１Ｈ項目欄１５５が示す要素「どのように」の第１Ｈ要素表示２５が「How(手順)」等であってもよい。
【００１９】
項目欄１５は、１つの項目欄が１行を占めてもよいし、２行以上を占めてもよい。好ましくは、第１Ｈ項目欄１５５が、他の項目欄よりも占める行の数が多い。例えば、図示のように、第１Ｗ項目欄１５１、第２Ｗ項目欄１５２、第３Ｗ項目欄１５３、第４Ｗ項目欄１５４がそれぞれ１行を占めるのに対して、第１Ｈ項目欄１５５は６行を占める。
【００２０】
前述の各線（横線、区画線（縦線））及び各要素表示は、例えば印刷により紙面１０上に施される。線の形状や色彩などは特に限定されず、明確に視認できるものであればよい。要素表示の書体や色彩なども特に限定されず、明確に視認できるものであればよい。
【００２１】
用紙１は、所定の事物に関して必要な事項を効率よく書き留めることができる。より具体的には、用紙１は、５Ｗ１Ｈの要素のうちの、少なくとも、「何を」、「いつ」、「誰が」、「どこで」、「どのように」を示す項目欄１５を有し、要素表示２０が施され、書き込む記入欄１６が限定されるため、所定の事物に関して、要点を漏れなく書き留めることができ、整理された形で簡潔に分かりやすく書き残すことができる。
【００２２】
また、用紙１は、紙面１０上において、左右に延在する横線１２と、上下に延在する区画線１３のみを用いて欄の区画を行うため、要素表示２０が非常に目立つようになり、相手の話すスピードがはやいときでも記入欄１６の所定行に素早く書き込むことができる。
【００２３】
図２は本願考案に係る用紙の記載例を示す図である。図示のメモ１Ａのように、用紙１を用いれば、例えば、レジ締めに関して教わったときに、いつ、どのようにするかが一目で分かるように書き留めることができ、見返したり、共有したりしやすくなる。
【００２４】
図３は本願考案に係る用紙の記載例の表示例を示す図である。メモ１Ａは、一例として、糊付け、磁石などを用いてボードに表示される。メモ１Ａは、一例として、画像にしてディスプレイ等の表示装置に表示されてもよい。
【００２５】
図４は本願考案に係る冊子の一例（メモ帳）を示す図で、図４（ａ）は平面図、図４（ｂ）は側面図である。冊子１００は、用紙１を複数枚含む。複数の用紙１は、糸を用いて結合されてもよいし、糸を使用せず例えば糊などで結合されてもよい。冊子１００は、ここでは左端に結合部が設けられる。
【００２６】
冊子１００は、用紙１を切り取るための切取部３０を有する。より具体的には、切取部３０は、一例として、ミシン目（点線ないし破線状の孔）などの切取り線である。切取部３０は、用紙１に要素表示２０よりも左側に設けられる。切取部３０は、一例として、項目欄１５を上下方向に横断するように設けられ、要素表示２０及び記入欄１６を含む部分を切り離せるようになっている。
【００２７】
図５は本願考案に係る冊子の一例（メモ帳）を示す図である。以下では、主として、前述例と異なる点を説明する。
【００２８】
用紙１は、ここでは、一例として、横長の長方形である。用紙１は、紙面１０において、項目欄１５及び記入欄１６の周りに余白１１を有する。また、複数の横線１２の左端をつなげるように上下に延びる縦線１４が設けられ、同様に複数の横線１２の右端をつなげるように上下に延びる縦線１４が設けられる。
【００２９】
項目欄１５には、５Ｗ３Ｈ（ごダブリューさんエッチ）を構成する要素が含まれる。すなわち、「何を」を示す第１Ｗ項目欄１５１と、「いつ」を示す第２Ｗ項目欄１５２と、「誰が」を示す第３Ｗ項目欄１５３と、「どこで」を示す第４Ｗ項目欄１５４と、「なぜ」を示す第５Ｗ項目欄１５６と、「どのように」を示す第１Ｈ項目欄１５５と、「費用」を示す第２Ｈ項目欄１５７と、「個数」を示す第３Ｈ項目欄１５８が含まれる。
【００３０】
項目欄１５には、要素表示２０が施される。要素表示２０は、一例として、ここでは、上から順に、第１Ｗ項目欄１５１に「何を」を示す第１Ｗ要素表示２１である「What(何を)」が施され、第２Ｗ項目欄１５２に「いつ」を示す第２Ｗ要素表示２２である「When(いつ)」が施され、第３Ｗ項目欄１５３に「誰が」を示す第３Ｗ要素表示２３である「Who(誰が)」が施され、第５Ｗ項目欄１５６に「なぜ」を示す第５Ｗ要素表示２６である「Why(なぜ)」が施され、第４Ｗ項目欄１５４に「どこで」を示す第４Ｗ要素表示２４である「Where(どこ)」が施され、第１Ｈ項目欄１５５に「どのように」を示す第１Ｈ要素表示２５である「How(手順)」が施され、第２Ｈ項目欄１５７に「費用」を示す第２Ｈ要素表示２７である「How much(費用)」が施され、第３Ｈ項目欄１５８に「個数」を示す第３Ｈ要素表示２８である「How many(個数)」が施される。
【００３１】
切取部３０は、ミシン目などの切取り線であり、一例として、用紙１に項目欄１５の左側の余白部分を上下方向に横断するように設けられる。これにより、用紙１は、項目欄１５及び記入欄１６を含む部分が切り離せるようになる。
【００３２】
用紙１は、さらに、「なぜ」を示す第５Ｗ項目欄１５６、「費用」を示す第２Ｈ項目欄１５７及び「個数」を示す第３Ｈ項目欄１５８を含み、これらの事項も一目で分かるように書き留めることができる。なお、これらのいずれか１つ、または２つを含んでもよい。
【００３３】
図６は本願考案に係る冊子の一例（メモ帳）を示す図で、表表紙をめくった状態の平面図である。以下では、主として、前述例と異なる点を説明する。
【００３４】
冊子１００は、表表紙１０１と、裏表紙１０２を有し、複数の用紙１はその間に結合される。切取部３０は、ここでは、一例として、厚紙、板紙、樹脂シート等で構成され、縦に細長く、用紙１を切り取れる程度の硬性を有する。切取部３０は、表表紙１０１と用紙１との間に設けられ、要素表示２０の左側に配置される。切取部３０は、ミシン目の切取り線で構成される場合は意図しないときに切り取れてしまうことがあるが、ここでは、せん断により行い、切り取るべきときに切り取れるようになっている。
【００３５】
図７は本願考案に係る用紙の一例を示す平面図で、図示は手帳用紙の例である。以下では、主として、前述例と異なる点を説明する。
【００３６】
用紙１は、一例として矩形で、例えば、縦長の長方形である。用紙１は、紙面１０上に前述の余白１１や横線１２、区画線１３、縦線１４を備え、区画線１３により項目欄１５と記入欄１６とが区画される。用紙１は、好ましい一例として、上下方向の長さＢが１４８ｍｍで、左右方向の幅Ｃが１０５ｍｍで、項目欄１５の左右方向の幅Ｄが２４ｍｍである。用紙１は、好ましい一例として、上下方向の長さＢが１２５ｍｍで、左右方向の幅Ｃが８８ｍｍで、項目欄１５の左右方向の幅Ｄが２０ｍｍであってもよい。
【００３７】
項目欄１５には、５Ｗ１Ｈ（ごダブリューいちエッチ）を構成する要素のうちの、少なくとも、「何を」を示す第１Ｗ項目欄１５１と、「いつ」を示す第２Ｗ項目欄１５２と、「誰が」を示す第３Ｗ項目欄１５３と、「どこで」を示す第４Ｗ項目欄１５４と、「どのように」を示す第１Ｈ項目欄１５５が含まれる。
【００３８】
用紙１は、ここでは、第２Ｗ項目欄１５２や第３Ｗ項目欄１５３、第４Ｗ項目欄が上方に配置され、その下に第１Ｗ項目欄１５１が配置される。要素表示２０は、上から順に、第２Ｗ項目欄１５２に「いつ」を示す第２Ｗ要素表示２２である「いつ」が施され、第３Ｗ項目欄１５３に「誰が」を示す第３Ｗ要素表示２３である「だれ」が施され、第４Ｗ項目欄１５４に「どこで」を示す第４Ｗ要素表示２４である「どこ」が施され、第１Ｗ項目欄１５１に「何を」を示す第１Ｗ要素表示２１である「なに」が施され、第１Ｈ項目欄１５５に「どのように」を示す第１Ｈ要素表示２５である「どうする」が施される。
【００３９】
一例として、第１Ｗ項目欄１５１、第２Ｗ項目欄１５２、第３Ｗ項目欄１５３、第４Ｗ項目欄１５４がそれぞれ２行を占め、第１Ｈ項目欄１５５がその下の３行以上を占める。なお、第１Ｈ項目欄１５５の下方に所定数の行を隔てて、備考欄が設けられてもよい。また、前述例のように切取部３０が設けられてもよい。
【００４０】
図８本願考案に係る用紙の記載例を示す図である。図８（ａ）、（ｂ）、（ｃ）に図示の書込み１Ａのように、用紙１を用いれば、所定の事物に関して、要点を漏れなく書き留めることができ、整理された形で簡潔に分かりやすく書き残すことができる。また、相手の話すスピードがはやいときでも記入欄の所定行に素早く書き込むことができる。
【００４１】
図９は本願考案に係る用紙の一例を示す平面図で、図示はシステム手帳用紙の例である。用紙１は、余白１１にバインダー孔４０が設けられ、バインダーで冊子であるシステム手帳に着脱可能に綴じ込まれる。
【００４２】
なお、上記の記載に基づいて、当業者であれば、本願考案の追加の効果や種々の変形を想到できるかもしれないが、本願考案の態様は、上述した実施形態の例に限定されるものではない。実用新案登録請求の範囲に規定された内容及びその均等物から導き出される本願考案の概念的な思想と趣旨を逸脱しない範囲で種々の追加、変更及び部分的削除が可能である。
【符号の説明】
【００４３】
１        用紙
１０      紙面
１１      余白
１２      横線
１３      区画線
１４      縦線
１５      項目欄
１６      記入欄
２０      要素表示
３０      切取部
４０      バインダー孔
１００    冊子
【図１】
0003230079.tif 000003
【図２】
0003230079.tif 000004
【図３】
0003230079.tif 000005
【図４】
0003230079.tif 000006
【図５】
0003230079.tif 000007
【図６】
0003230079.tif 000008
【図７】
0003230079.tif 000009
【図８】
0003230079.tif 000010
【図９】
0003230079.tif 000011